(57)【要約】【課題】  シャワーフェイスなどのシャワー本体に取り付けられたカバーの表面が撓むことを簡便な構造で防止し、シャワーの品質感を損ねないようにすること。【解決手段】  フェイス部４０を露呈させて、シャワー１０本体に取り付けられるシャワー１０のカバー２０の支持構造Ａにおいて、カバー２０が取り付けられた際に、カバー２０の裏面側に位置する部位のシャワーフェイス２０に、カバー２０の裏面が当接可能な当接部４８を設けた。    【選択図】    図１６
2008136570.tif 000002
【特許請求の範囲】
【請求項１】
フェイス部を露呈させてシャワー本体に取り付けられるシャワーのカバーの支持構造であって、
前記カバーが取り付けられた際に、前記カバーの裏面側に位置する部位の前記シャワー本体に、前記カバーの裏面が当接可能な当接部が形成されたことを特徴とするシャワーのカバーの支持構造。
【請求項２】
前記シャワーは、固定式のシャワーであることを特徴とする請求項１に記載のシャワーのカバーの支持構造。
【請求項３】
前記当接部は前記フェイス部の外周縁に形成されたことを特徴とする請求項１かまたは請求項２に記載のシャワーのカバーの支持構造。
【発明の詳細な説明】
【技術分野】
【０００１】
本発明は、シャワーのカバーの支持構造に関する。
【背景技術】
【０００２】
従来、シャワーのシャワーフェイスなど、シャワー本体に、さらにカバーを取り付けたシャワーが知られている。このようなカバーは、シャワーのボデーにシャワーフェイスを固定するためのねじを隠すなどの美観上の目的で用いられていることが多い。なお、出願人においては、このような固定式のシャワーについて調査したが、具体的な文献を発見できなかった。
【発明の開示】
【発明が解決しようとする課題】
【０００３】
ところが、従来のシャワーでは、このカバーが薄く形成されている場合や柔らかい材質の場合には、取り付けられたカバーに力が加わった際に、カバー表面が撓むなどして、シャワーの品質感を大きく損ねるという問題があった。特に近年は、デザイン上の要請から、真鍮製のカバーを用いたりシャワーの小型が進むなど、カバーの多様な材質・肉厚の薄さが求められる傾向にあるため、このような撓みが一層問題となっていた。
【０００４】
本発明は上記した従来のシャワーのカバーの支持構造の問題点を解消するものであり、シャワーフェイスなどのシャワー本体に取り付けられたカバーの表面が撓むことを簡便な構造で防止し、シャワーの品質感を損ねないようにすることを目的とする。
【課題を解決するための手段】
【０００５】
以上の課題を解決するために、本発明の採った手段を以下に説明する。本発明のシャワーのカバーの支持構造は、フェイス部を露呈させてシャワー本体に取り付けられるシャワーのカバーの支持構造であって、前記カバーが取り付けられた際に、前記カバーの裏面側に位置する部位の前記シャワー本体に、前記カバーの裏面が当接可能な当接部が形成されたことを特徴とするシャワーのカバーの支持構造（請求項１）である。
【０００６】
このような当接部を形成することにより、カバーに力が加えられても、カバーの裏面側からカバーを支持することができ、カバーの撓みを防止することが出来る。当接部は、カバー全体に渡って支持できるようにカバーの裏面側の全ての部位において設けても良いが、一部の部位にのみ設けることとしても良い。また、その形状は特に限定されず、種々の形状とすることができる。また、当接部は、シャワー本体のいずれの部位に設けても良く、例えば、シャワーフェイスやボデーなどのシャワー本体のいずれかの部位に設ければよい。
【０００７】
また、前記シャワーは、固定式のシャワーであることを特徴とする請求項１に記載のシャワーのカバーの支持構造（請求項２）としても良い。
【０００８】
使用者が直接保持して使用するハンドシャワーではなく、固定式のシャワーに取り付けられるカバーの場合、使用者が保持して使用する際のような強度を考慮しなくても良いので、カバーを薄肉に形成することがある。また、真鍮を使用するなど、設置するカウンターなどの部位とのデザイン上の統一を図るために強度が十分でない場合もある。よって、本発明はこのような固定式のシャワーのカバーの撓みを防止するのに特に好適である。
【０００９】
また、前記当接部は前記フェイス部の外周縁に形成されたことを特徴とする請求項１かまたは請求項２に記載のシャワーのカバーの支持構造（請求項３）としても良い。
【００１０】
フェイス部を露呈させるカバーにおいては、フェイス部とカバーとの境界付近において撓みが生ずると、両部材間に隙間が生じてしまうなど、美観上問題となりやすい。よって、フェイス部の外周縁に当接部を形成すると、フェイス部とカバーとの境界付近における撓みを有効に防止できる。当接部は、フェイス部の外周縁の全ての部位において形成しても良く、また、外周縁の一部においてのみ形成しても良い。
【発明の効果】
【００１１】
本発明は上記のように、シャワーの本体にカバーを裏面側から支持する当接部を設けたので、カバーの撓みを簡便かつ確実に防止することができる。
【発明を実施するための最良の形態】
【００１２】
次に、本発明のシャワーのカバーの支持構造の実施の形態を図を参考にして詳細に説明する。図１に示すように、本発明のシャワーのカバーの支持構造Ａを用いた床散湯シャワー１０は、浴室内のカウンター１内に内蔵されてカウンター１正面側のパネル２の左側寄りに露呈され、浴室内の床面３に向けて取り付けられ、冬季などの気温の低い場合に、床面３に散湯を行って床面３全体を暖めるものである。
【００１３】
図３に示すように、この床散湯シャワー１０は、パネル２裏側に配設される固定用ステー４を介して、カウンター１裏側の壁面（図示省略）に固定されている。図２から図４に示されるように、床散湯シャワー１０には、本体部１２と接続管部１４とが備えられたボデー１６と、本体部１２の正面側に組み付けられたシャワーフェイス１８とが備えられている。これらのボデー１６及びシャワーフェイス１８が、本発明にいう「シャワー本体」に相当する。そして、図２に示すように、「シャワー本体」の一部であるシャワーフェイス１８の前面には、カバー２０が嵌合取り付けされている。
【００１４】
図３に示すように、接続管部１４は、本体部１２の背面側の開口部１３から背面右側に沿って延設されており、その端部は湯水混合水栓（図示省略）側に接続され、所定のハンドル操作により、この接続管部１４を通じて本体部１２に湯水が供給されるように設けられている。
【００１５】
上記した開口部１３内には、図３及び図４に示すように、円筒状の台座２２がＯリング２４を介して取り付けられている。台座２２には、先端側の小径部２６と、基端側の大径部２８とが備えられており、大径部２８の外周面の溝内にＯリング２４が装着されている。また、台座２２は、開口部１３奥側の段部１５に係止されて開口部１３内に収容されている。そして、大径部２８の開口部２９内に、円筒状の定流量弁３０が収容保持されている。定流量弁３０は、開口部２９内に圧入可能な外径の円筒状に形成されている。定流量弁３０は、毎分８リットルに流量を抑えることができるものであり、通常の水道管に接続する場合には毎分８リットルの流量を維持することができる。よって、床面３の幅・奥行き・床散湯シャワー１０の設置される高さなどの種々の要因に合わせて、下記に詳述するように散水孔５０，５２，５４，５６の形状などを特定して床面３全体に散湯を行き渡すことを目的とする床散湯シャワー１０において、湯水の流量を一定として、床面３全体に散湯を適切に行き渡すことが可能となる。
【００１６】
また、図３及び図４に示すように、本体部１２の左右両端部には、第一ねじ孔３２、第二ねじ孔３３が開設された半割長円形状の取付部３４が延設されている。左側の取付部３４にはその下方寄りに、正面視右側の取付部３４にはその上方寄りに、それぞれ１箇所の第一ねじ孔３２が開設されており、また、左側の取付部３４にはその上方寄りに、正面視右側の取付部３４にはその下方寄りに、それぞれ１箇所の第二ねじ孔３３が開設されている。各第一ねじ孔３２は、固定用ステー４に設けられた第一取付孔５に対応する位置に、各第二ねじ孔３３は、固定用ステー４に設けられた第二取付孔６に対応する位置に、それぞれ開設されている。また、第二ねじ孔３３は、後述するシャワーフェイス１８の取付孔４６とも対応する位置に開設されている。そして、第一ねじ７が、固定用ステー４の第一取付孔５から取付部３４の第一ねじ孔３２に螺着されて、固定用ステー４にボデー１６が固定されている。
【００１７】
また、本体部１２の背面側内部の開口部２９よりも右側には、後述するシャワーフェイス１８を組み付けた際に、その干渉突部４３が収容される凹部３６が形成されており、一方、左側には、図１８にも示すように、凹部３６よりも正面寄りに形成されてシャワーフェイス１８を左右反対の向きにボデー１６に組み付ける際には干渉突部４３と干渉して組み付けを不能とする干渉部３８が形成されている。このような干渉突部４３及び干渉部３８を設けることにより、下記に詳述するように散水孔５０，５２，５４，５６の形状などを特定して床面３全体に散湯を行き渡すことを目的とする床散湯シャワー１０において、シャワーフェイス１８を組み付け間違えることにより当初予定される散湯方向が狂ってしまい、組み付け直しの必要が生ずることを確実に防止することができる。また、本例では干渉突部４３は、後述するシャワーフェイス１８のフェイス部４０に沿って立設される側壁４２からさらに突設されるように形成されており、本体部１２に正規の向きに組み付けられた際に、本体部１２内の流路中央付近などに突出されることが無く、流路内の湯水の流れを妨げるおそれも無い。また、特に、適宜にメンテナンスを必要とする定流量弁３０を内蔵する床散湯シャワー１０の場合に、このように組み付け間違いを防止する干渉部３８及び干渉突部４３を設けることは有効である。
【００１８】
次いでシャワーフェイス１８について説明する。図５に示すように、シャワーフェイス１８は、正面視がほぼ横長の長方形状に形成され、図３に示すように、そのフェイス部４０を底面としてその外周に沿って周回状に立設される側壁４２を備えた全体形状とされている。また、フェイス部４０の正面視右側裏の側壁４２には、さらにフェイス部４０背面側に突設された干渉突部４３が突設されている。フェイス部４０の左右両側には、図５に示すように、ボデー１６及び固定用ステー４にねじ止め固定するための取付孔４６が設けられた取付部４４が延設されている。取付部４４は、ほぼ長方形状に形成されており、正面視左側の取付部４４にはその上方寄りに、正面視右側の取付部４４にはその下方寄りに、それぞれ１箇所の取付孔４６が開設されている。また、正面視左側の取付部４４にはその下方寄り裏側に、正面視右側の取付部４４にはその上方寄り裏側に、それぞれ裏側に配設されるねじ７の頭が収容される収容空間４７が設けられている。各取付孔４６は、ボデー１６の第二ねじ孔３３及び固定用ステー４の第二取付孔６に対応する位置に開設されている。そして、第二ねじ８が、この取付孔４６及び固定用ステー４の第二取付孔６に正面側から順に挿通され、ボデー１６の取付部３４の第二ねじ孔３３に螺着されて、固定用ステー４及びボデー１６に対して、シャワーフェイス１８が固定されている。
【００１９】
図３に示すように、取付部４４はフェイス部４０よりも背面寄り延設されているが、図３及び図５に示すように、フェイス部４０の左右両側には、フェイス部４０よりも僅かに取付部４４側に正面視円弧状の外径を備えて段状に形成された当接部４８が設けられている。そして図２及び図１６に示すように、カバー２０がシャワーフェイス１８に嵌合取り付けされた場合には、カバー２０の内孔２１の左右両側周縁部内側面が、この当接部４８の前面によって当接されて、カバー２０の左右両側周縁部の内側方向への撓みを防止するように構成されている。
【００２０】
次いでカバー２０について説明する。図１５及び図１６に示すように、カバー２０は、正面視が、ほぼ横長の長方形状に形成されるとともに、中央に、シャワーフェイス１８のフェイス部４０を露呈する内孔２１が開口されている。カバー２０は約１ｍｍの肉厚の真鍮製とされている。内孔２１は、フェイス部４０の外径とほぼ同形状に形成されている。また、図１６に示すように、内孔２１周縁部からシャワーフェイス２０端部にかけて背面寄りに傾斜される底部７０が設けられ、この底部７０の端部から背面側に向けて、側壁部７２が周設されている。底部７０は、カバー２０の左右側に最も幅広く形成されている。また、シャワーフェイス２１の下端部には、シャワーフェイス１８に嵌合される際に、嵌合を容易に行わせるための切り欠き１９が２箇所形成されている。
【００２１】
このように設けられたカバー２０は、シャワーフェイス１８に取り付けられた際に、その最も幅広く形成されたカバー２０左右の部位の底部７０が、フェイス部４０左右に設けられた当接部４８に当接される。よって、最も幅広く形成され撓みが生じやすいカバー２０左右の底部７０の部位を支持することができる。また、当接部４８は、平面視において、フェイス部４０よりも約１ｍｍシャワーフェイス１８背面寄りに形成されている。よって、図１６に示すように、カバー２０をシャワーフェイス１８に取り付けた状態では、カバー２０の底面７０表側とフェイス部４０表側とが、ほぼ同一面に配置されるように設けられ、撓みによるカバー２０の内孔２１とフェイス部４０外周縁との境界部分の隙間を防止することができ、その美観が向上されるように構成されている。
【００２２】
なお、上記した支持構造Ａでは、正面視円弧状の外径を備えた当接部４８としたが、これに限られず、例えば正面視縦長長方形状の当接部４８などとしても良い。またフェイス部４０の左右に当接部４８を設けることとしたが、これに限られず、図２０に示すように、フェイス部４０の外周縁ほぼ全てに渡って当接部４８’を形成することとしても良い。さらにまた、フェイス部４０の外周縁以外の部位に当接部を形成することも可能である。また、上記した支持構造Ａでは、シャワーフェイス１８に当接部４８を設けたがこれに限られず、「シャワー本体」の別の部位であるボデー１６に当接部を設けることとしても良い。
【００２３】
次いでフェイス部４０について詳細に説明する。図２に示すように、フェイス部４０には、上下方向において四列に配置された散水孔５０，５２，５４，５６が多数形成されている。これらの散水孔５０，５２，５４，５６は、上下方向において下寄りの散水孔ほど、下方に向けた角度に散水が吐出されるように、その形状・角度・噴き出し口面角度が形成されている。具体的には、図６に示すように、上側第一列目の散水孔５０は、上下方向においては、水平方向より僅かに下方に向けて散水が吐出されるようにその形状・角度・噴き出し口面角度が形成されている。フェイス部４０の正面部４１の正面視左側の１０個の散水孔５０については、正面部４１に直交する方向から約１１度下方に向けて散水が吐出されるように形成されており、より具体的には、散水孔５０裏面側の形状は、下部がフェイス部４０の正面部４１の正面側に直交する方向に形成され、この下部に対して上部は後方が広がるように約２２度傾斜して形成され、側面視扇形に形成されている。このように、散水孔５０を扇形に形成するとともに、その上下端の一方を正面部４１に直交する方向に形成することにより、型抜きに支障を来さないようにすることができるとともに、傾斜角度の約２分の１である約１１度の角度で散水を吐出することができる。
【００２４】
また、それぞれの散水孔５０のフェイス部４０表側の噴き出し口５８は、散水孔５０の散水の吐出角度である約１１度下方に傾斜した、正面部４１奥側に約０．５ｍｍの深さに、直径３ｍｍの仮想円柱形状の一部を形成するように削り取られた形状とされており、すなわち、その奥側底面が、フェイス部４０の正面部４１に直交する方向に対して約１１度下方に向けられた形状とされている。このように、散水孔５０の表側の噴き出し口５８について、仮想円柱形状に噴き出し口５８を削り取るように形成することにより、上記のようにフェイス部４０裏側の散水孔５０の形状により定められる散水方向に正対しない角度の散水孔５０表側の噴き出し口５８の開口部によって散水が干渉されて、散水孔５０の形状によって予定される角度とは異なる角度に吐出されてしまうことを防止することができる。
【００２５】
また、散水孔５０が予定する散水角度に噴き出し口５８の底面の角度に応じて、仮想円柱形状に噴き出し口５８の向きを定めることにより、フェイス部４０裏側の散水孔５０の形状により定められる散水方向に正対しない角度の散水孔５０表側の噴き出し口の開口部による散水への干渉を、さらに減少させることができる。
【００２６】
また、図示は省略するが、上側第一列目の散水孔５０のうちの正面視右側の残りの２個の散水孔５０については、水平方向から約１４度下方に向けて散水が吐出されるように形成されており、具体的には、散水孔５０裏面側の形状は、下部がフェイス部４０の正面部４１に直交する方向に形成され、この下部に対して上部は後方が広がるように約２８度傾斜して形成され、側面視扇形に形成されている。そして上記した散水孔５０と同様に、それぞれの散水孔５０のフェイス部４０表側の噴き出し口５８は、正面部４１に直交する方向から、散水孔５０の散水の吐出角度である約１４度下方に傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約１４度下方に向けられた形状とされている。
【００２７】
次いで、上側第二列目の散水孔５２は、第一列目の散水孔５０よりもやや下方に、水平方向から約３３度下方に向けて散水が吐出されるように、その形状・角度・噴き出し口面角度が形成されている。具体的には、散水孔５２裏面側の形状は、下部が、正面部４１に直交する方向に形成され、この下部に対して上部は後方が広がるように約６６度傾斜して形成され、側面視扇形に形成されている。そして、それぞれの散水孔５２のフェイス部４０表側の噴き出し口６０は、正面部４１に直交する方向から、散水孔５２の散水の吐出角度である約３３度下方に傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約３３度下方に向けられた形状とされている。
【００２８】
また、図７に示すように、第三列目の散水孔５４は、第二列目の散水孔５２よりもさらに下方に、水平方向から約３７度下方に向けて散水が吐出されるように、その形状・角度・噴き出し口面角度が形成されている。具体的には、散水孔５４裏面側の形状は、下部がフェイス部４０の正面部４１に直交する方向に形成され、この下部に対して上部は後方が広がるように約７４度傾斜して形成され、側面視扇形に形成されている。そして、それぞれの散水孔５４のフェイス部４０表側の噴き出し口６２は、正面部４１に直交する方向から、散水孔５４の散水の吐出角度である約３７度下方に向けて傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約４０度下方に向けられた形状とされている。
【００２９】
そして、第四列目の散水孔５６は、第二列目の散水孔５２よりもさらに下方に、水平方向から約６５度下方に向けて散水が吐出されるように、その形状・角度・噴き出し口が形成されている。散水孔５６については、側面視は、フェイス部４０の正面部４１に直交する方向に対して約６５度下方に向けて下さがりに傾いたほぼ長方形状に形成されており、その噴き出し口６４は、フェイス部４０の正面部４１に対して約６５度下方に向けて傾斜したフェイス部４０の傾斜部４５にそのまま開口されている。
【００３０】
また、水平方向においては、上下方向最下列の散水孔５６を除いて、正面視左端に位置する散水孔５０，５２，５４は床散湯シャワー１０の正面に正対する方向に吐出され、これより正面視右寄りの散水孔５０，５２，５４は、より右側に位置する散水孔５０，５２，５４ほど右側に角度を強めて吐出されるように形成されている。すなわち、散水孔５０，５２，５４は、それぞれ、右壁面が正面部４１と正対する方向に沿って形成されているが、一方で左壁面は、右寄りに行くにしたがって、その正面側がフェイス部４０の正面部４１の右方向に向けて順に角度を強めるように形成されている。また、それぞれの噴き出し口５８，６０，６２は、正面部４１奥側に約０．５ｍｍの深さに、直径３ｍｍの仮想円柱形状の一部を形成するように削り取られた形状に形成されている。さらにまた、これらの噴き出し口５８，６０，６２の一部については、その軸心を右側に向けた仮想円柱形状の一部を形成するように削り取られた形状に形成されている。
【００３１】
各散水孔５０，５２，５４，５６は、水平方向において、その形状などが以下のように形成されている。図８及び図９に示すように、上下方向第一列目の散水孔５０については、正面視左端の散水孔５０はその左壁面及び右壁面が共に正面部４１と正対する方向に沿って形成されているが、これより右側の散水孔５０は、その右壁面が正面部４１と正対する方向に沿って形成されると共に、左壁面は、その正面側がフェイス部４０の正面部４１の右方向に向けて順に、５度、１０度、１５度、２０度、２５度、３０度、４０度、５０度、５５度、６５度、７０度の角度を付けて平面視扇形に形成されている。そして、これらの散水孔５０は左から順に、正面部４１と正対する方向に対して、正面視右側に向けて、０度、２．５度、５度、７．５度、１０度、１２．５度、１５度、２０度、２５度、２７．５度、３２．５度、３５度の角度で散水が吐出されるように設けられている。
【００３２】
また、図９に、図８に示す左端から３つの散水孔５０を拡大して示すように、各散水孔５０の噴き出し口５８は、その軸心が正面部４１に正対する方向に向けて、正面部４１奥側に約０．５ｍｍの深さに、直径３ｍｍの仮想円柱形状の一部を形成するように削り取られた形状に形成されている。
【００３３】
図１０及び図１１に示すように、上下方向第二列目の散水孔５２については、正面視左端の散水孔５２はその左壁面及び右壁面が共に正面部４１と正対する方向に沿って形成されているが、これより右側の散水孔５２は、その右壁面が正面部４１と正対する方向に沿って形成されると共に、左壁面は、その正面側がフェイス部４０の正面部４１の右方向に向けて順に、５度、１０度、１５度、２０度、２５度、３０度、４０度、５０度、５５度、６５度、７５度の角度を付けて平面視扇形に形成されている。そして、これらの散水孔５２は左から順に、正面部４１と正対する方向に対して、正面視右側に向けて、０度、２．５度、５度、７．５度、１０度、１２．５度、１５度、２０度、２５度、２７．５度、３２．５度、３７．５度の角度で散水が吐出されるように設けられている。
【００３４】
また、各散水孔５２の噴き出し口６０は、上記したように、正面部４１奥側に約０．５ｍｍの深さに、直径３ｍｍの仮想円柱形状の一部を形成するように削り取られた形状に形成されている。そして、左寄りの３つの噴き出し口６０については、その軸心が正面部４１に正対する方向に向けて仮想円柱形状の一部を形成するように削り取られた形状に形成されており、左寄りの４つ目から６つ目の噴き出し口６０については、その軸心が正面部４１に正対する方向に対して、約１５度右向きにその軸心が定められた仮想円柱形状の一部を形成するように削り取られた形状に形成されている。そして、図１１にもその一部を拡大して示すように、右寄りの残る６つの噴き出し口６０は、正面部４１に正対する方向に対して、約３０度右向きにその軸心が定められた仮想円柱形状の一部を形成するように削り取られた形状に形成されている。
【００３５】
図１２及び図１３に示すように、上下方向第三列目の散水孔５４については、正面視左端の散水孔５４はその左壁面及び右壁面が共に正面部４１と正対する方向に沿って形成されているが、これより右側の散水孔５４は、その右壁面が正面部４１と正対する方向に沿って形成されると共に、左壁面は、その正面側がフェイス部４０の正面部４１の右方向に向けて順に、１０度、２０度、３０度、４０度、４０度、５０度、５５度、６５度、８０度の角度を付けて平面視扇形に形成されている。そして、これらの散水孔５４は左から順に、正面部４１と正対する方向に対して、正面視右側に向けて、０度、５度、１０度、１５度、２０度、２０度、２５度、２２．５度、３２．５度、４０度の角度で散水が吐出されるように設けられている。
【００３６】
また、各散水孔５４の噴き出し口６２は、上記したように、正面部４１奥側に約０．５ｍｍの深さに、直径３ｍｍの仮想円柱形状の一部を形成するように削り取られた形状に形成されている。そして、左寄りの３つの噴き出し口６２については、その軸心が正面部４１に正対する方向に向けて仮想円柱形状の一部を形成するように削り取られた形状に形成されており、左寄りの４つ目から６つ目の噴き出し口６２については、その軸心が正面部４１に正対する方向に対して、約３０度右向きにその軸心が定められた仮想円柱形状の一部を形成するように削り取られた形状に形成されている。そして、図１３にもその一部を拡大して示すように、右寄りの残る４つの噴き出し口６２は、正面部４１に正対する方向に対して、約６０度右向きにその軸心が定められた仮想円柱形状の一部を形成するように削り取られた形状に形成されている。
【００３７】
そして図１４に示すように、上下方向最下列、第四列目の８つの散水孔５６については、いずれもフェイス部４０の正面部４１及び底面部４５の左右方向に正対する方向に沿って、形成されている。
【００３８】
このように各散水孔５０，５２，５４，５６などが設けられた床散湯シャワー１０では、図１及び図１９に示すように、より上方の散水孔からは、床散湯シャワー１０からより遠い床面３の位置に向けた角度で噴水が吐出され、より下方の散水孔からは床散湯シャワー１０により近い床面３の位置に向けた角度で噴水が吐出される。また、最下列の散水孔５６を除いて、床散湯シャワー１０の配設位置から右側に広がる床面３に対して、右寄りの散水孔５０，５２，５４からは右寄りに向けて噴水が吐出される。このようにして、床面３全体に散水を行き渡らせることができる。
【００３９】
上記のように構成された床散湯シャワー１０は、下記のように組み立てる。まず、本体部１２の接続管部１４を湯水混合水栓に接続される配管（図示省略）に接続する。次いで、本体部１２を、浴室の壁面などにあらかじめ固定しておいた固定用ステー４にねじ止めする。図４及び図１７に示すように、取付部３４を固定用ステー４の裏面側に配置させて、固定用ステー４の第一取付孔５から、本体部１２の左右の取付部３４に形成された第一ねじ孔３２にそれぞれ、ねじ７をねじ込む。この状態で、本体部１２は、カウンター１のパネル２に開口された取付口９に位置される。次いで、シャワーフェイス１８を、固定用ステー４及び本体部１２に固定する。図５及び図１７に示すように、取付部４４を固定用ステー４の表面側に配置させて、左右の取付孔４６及び固定用ステー４の第二取付孔６に挿通して、本体部１２の第二ねじ孔３２に、それぞれ、ねじ８をねじ込む。この際に、図１７及び図３に示すように、シャワーフェイス１８の向きが正しければ、干渉突部４３は本体部１２の凹部３６内に収容され、ねじ８のねじ止めを可能とするが、図１８に示すように、シャワーフェイス１８の左右の向きを間違えて組み付けようとすると、干渉突部４３が本体部１２の干渉部３８に干渉されて、ねじ８によるねじ止めを不能とする。そして、シャワーフェイス１８を固定した後に、カバー２０をシャワーフェイス１８に嵌合取り付けして、床散湯シャワー１０の組み立て及び取付が終了する。
【図面の簡単な説明】
【００４０】
【図１】本発明のシャワーのカバーの取付構造を用いた床散湯シャワーを配設した浴室カウンターの斜視図である。
【図２】床散湯シャワーの正面図である。
【図３】カバーを除いた床散湯シャワーの横断面図である。
【図４】固定用ステー及び本体部の正面図である。
【図５】シャワーフェイスの正面図である。
【図６】図５のシャワーフェイスのＪ−Ｋ−Ｌ−Ｊ線断面図である。
【図７】図５のシャワーフェイスのＧ−Ｇ線断面図である。
【図８】図６のシャワーフェイスのＳ−Ｓ線断面図である。
【図９】図８のシャワーフェイスの一部拡大断面図である。
【図１０】図６のシャワーフェイスのＴ−Ｔ線断面図である。
【図１１】図１０のシャワーフェイスの一部拡大断面図である。
【図１２】図７のシャワーフェイスのＵ−Ｕ線断面図である。
【図１３】図１２のシャワーフェイスの一部拡大断面図である。
【図１４】図６のシャワーフェイスのＶ−Ｖ線断面図である。
【図１５】カバーの正面図である。
【図１６】カバーを取り付けた床散湯シャワーの横断面図である。
【図１７】シャワーフェイス、固定用ステー、本体部の分解横断面図である。
【図１８】シャワーフェイスを左右逆向きに配置した状態を示す、シャワーフェイス、固定用ステー、本体部の分解横断面図である。
【図１９】床散湯シャワーの平面図である。
【図２０】別のカバーの取付構造を用いたシャワーフェイスの正面図である。
【符号の説明】
【００４１】
１；カウンター、２；パネル、３；床面、４；固定用ステー、５；第一取付孔、６；第二取付孔、７；第一ねじ、８；第二ねじ、９；取付口、１０；床散湯シャワー、１２；本体部、１３；開口部、１４；接続管部、１５；段部、１６；ボデー、１８；シャワーフェイス、１９；切り欠き、２０；カバー、２１；内孔、２２；台座、２４；Ｏリング、２６；小径部、２８；大径部、２９；開口部、３０；定流量弁、３２；第一ねじ孔、３３；第二ねじ孔、３４；取付部、３６；凹部、３８；干渉部、４０；フェイス部、４１；正面部、４２；側壁、４３；干渉突部、４４；取付部、４５；傾斜部、４６；取付孔、４７；収容空間、４８；当接部、５０，５２，５４，５６；散水孔、５８，６０，６２，６４；噴き出し口、７０；底部、７２；側壁部、Ａ；カバーの支持構造。
【図１】
2008136570.tif 000003
【図２】
2008136570.tif 000004
【図３】
2008136570.tif 000005
【図４】
2008136570.tif 000006
【図５】
2008136570.tif 000007
【図６】
2008136570.tif 000008
【図７】
2008136570.tif 000009
【図８】
2008136570.tif 000010
【図９】
2008136570.tif 000011
【図１０】
2008136570.tif 000012
【図１１】
2008136570.tif 000013
【図１２】
2008136570.tif 000014
【図１３】
2008136570.tif 000015
【図１４】
2008136570.tif 000016
【図１５】
2008136570.tif 000017
【図１６】
2008136570.tif 000018
【図１７】
2008136570.tif 000019
【図１８】
2008136570.tif 000020
【図１９】
2008136570.tif 000021
【図２０】
2008136570.tif 000022